【事件の表示】
　特許第５９４７８６６号に関する訂正審判事件について，次のとおり審決する。
【結　論】
　特許第５９４７８６６号の特許請求の範囲を本件審判請求書に添付された訂正特許請求の範囲のとおり訂正することを認める。
【理　由】
第１　手続の経緯
　本件特許第５９４７８６６号の請求項１及び２に係る特許についての出願である特願２０１４−２３８６４３号は，平成２２年５月２８日の出願である特願２０１０−１２２２１１号の一部を平成２６年１１月２６日に新たな出願としたものであって，平成２８年６月１０日に特許権の設定登録がされた。
　その後，平成２９年７月６日に本件審判が請求されたものである。
第２　請求の趣旨
　本件審判請求の趣旨は，特許第５９４７８６６号の特許請求の範囲を本件審判請求書に添付した訂正特許請求の範囲のとおり訂正することを認める，との審決を求めるものである。
第３　訂正事項
１．訂正事項１
　特許請求の範囲の請求項１に，
「前記受信部で受信したデジタル信号のイベント情報テーブルの番組情報の出力」
と記載されているのを，
「前記受信部で受信したデジタル信号のイベント情報テーブルの番組情報
に基づくメッセージの表示
に訂正する（下線は，訂正箇所である。以下同様。）。
２．訂正事項２
　特許請求の範囲の請求項１に，
「前記現在放送されている番組の次に放送される番組が３Ｄ映像を含むことを示す表示を出力するように制御する第１の制御状態と」
と記載されているのを，
「前記現在放送されている番組の次に放送される番組が３Ｄ映像を含むことを示す
メッセージの
に訂正する。
３．訂正事項３
　特許請求の範囲の請求項２に，
「前記受信ステップで受信したデジタル信号のイベント情報テーブルの番組情報または前記受信ステップで受信したデジタル信号の前記ＭＰＥＧトランスポートストリームに含まれる２Ｄ番組の映像または３Ｄ番組の映像を出力する」
と記載されているのを，
「前記受信ステップで受信したデジタル信号のイベント情報テーブルの番組情報
に基づくメッセージの表示を出力する，
に訂正する。
４．訂正事項４
　特許請求の範囲の請求項２に，
「前記現在放送されている番組の次に放送される番組が３Ｄ映像を含むことを示す表示を出力するように，制御する第１の出力状態」
と記載されているのを，
「前記現在放送されている番組の次に放送される番組が３Ｄ映像を含むことを示す
メッセージの
に訂正する。
第４　当審の判断
１．請求項１に係る訂正事項
（１）訂正の目的
　訂正前の請求項１では，出力部は「番組情報」の出力が可能と記載する一方，出力部を制御する制御部は第１の制御状態において「番組が３Ｄ映像を含むことを示す表示」を出力するように制御すると記載しているため，出力部の出力と制御部の第１の制御状態における出力とが整合しておらず，訂正前の請求項１に係る発明は，明確でなかった。
　訂正事項１及び訂正事項２は，出力部の出力と制御部の第１の制御状態における出力とを整合させるために，明細書及び図面に記載された「メッセージ」という語句を用いて，出力部の出力を「番組情報に基づくメッセージの表示」と訂正（訂正事項１）するとともに，制御部の第１の制御状態における出力を「番組が３Ｄ映像を含むことを示すメッセージの表示」と訂正（訂正事項２）するものであり，当該訂正により出力部の出力と制御部の第１の制御状態における出力とが整合したため，訂正後の請求項１に係る発明は明確になり，訂正後の請求項１の記載が明瞭になった。
　したがって，訂正事項１及び訂正事項２は，特許法第１２６条第１項ただし書第３号に規定する明瞭でない記載の釈明を目的とするものである。
（２）実質上特許請求の範囲を拡張し，又は変更する訂正ではないこと
　訂正事項１及び訂正事項２は，請求項１において出力部の出力と制御部の第１の制御状態における出力との記載を整合させる訂正であり，発明のカテゴリーや発明の対象，目的を変更するものではないから，実質上特許請求の範囲を拡張し，又は変更するものには該当せず，特許法第１２６条第６項に適合するものである。
（３）願書に添付した明細書，特許請求の範囲又は図面に記載した事項の範囲内の訂正であること
　訂正事項１の「番組情報に基づくメッセージの表示」及び訂正事項２の「番組が３Ｄ映像を含むことを示すメッセージの表示」は，明細書の段落【０２５３】の「・・・システム制御部５１は番組情報解析部５４から次の番組の番組情報を取得し（Ｓ１０１），前記３Ｄ番組の判定方法により，次番組が３Ｄ番組か否かを判定する。」，段落【０２５５】の「・・・ユーザーに対して，３Ｄ番組がもうすぐ始まる旨のメッセージを表示する（Ｓ１０４）。」，並びに，段落【０２５６】〜段落【０２６０】及び図２８〜図３０に示されるユーザーに対して表示されるメッセージ７０２，８０２，９０２の記載に基づくものである。
　したがって，訂正事項１及び訂正事項２は，願書に最初に添付した明細書，特許請求の範囲又は図面に記載した事項の範囲内の訂正であり，特許法第１２６条第５項に適合するものである。
２．請求項２に係る訂正事項
（１）訂正の目的
　訂正前の請求項２では，出力ステップにおいて「番組情報」を出力すると記載する一方，当該出力ステップの第１の出力状態において「番組が３Ｄ映像を含むことを示す表示」を出力すると記載しているため，出力ステップの出力と当該出力ステップの第１の出力状態における出力とが整合しておらず，訂正前の請求項２に係る発明は，明確でなかった。
　訂正事項３及び訂正事項４は，出力ステップの出力と当該出力ステップの第１の出力状態における出力とを整合させるために，明細書及び図面に記載された「メッセージ」という語句を用いて，出力ステップの出力を「番組情報に基づくメッセージの表示」と訂正（訂正事項３）するとともに，当該出力ステップの第１の出力状態における出力を「番組が３Ｄ映像を含むことを示すメッセージの表示」と訂正（訂正事項４）するものであり，当該訂正により出力ステップの出力と当該出力ステップの第１の出力状態における出力とが整合したため，訂正後の請求項２に係る発明は明確になり，訂正後の請求項２の記載が明瞭になった。
　したがって，訂正事項３及び訂正事項４は，特許法第１２６条第１項ただし書第３号に規定する明瞭でない記載の釈明を目的とするものである。
（２）実質上特許請求の範囲を拡張し，又は変更する訂正ではないこと
　訂正事項３及び訂正事項４は，請求項２において出力ステップの出力と当該出力ステップの第１の出力状態における出力との記載を整合させる訂正であり，発明のカテゴリーや発明の対象，目的を変更するものではないから，実質上特許請求の範囲を拡張し，又は変更するものには該当せず，特許法第１２６条第６項に適合するものである。
（３）願書に添付した明細書，特許請求の範囲又は図面に記載した事項の範囲内の訂正であること
　訂正事項３の「番組情報に基づくメッセージの表示」及び訂正事項４の「番組が３Ｄ映像を含むことを示すメッセージの表示」は，明細書の段落【０２５３】の「・・・システム制御部５１は番組情報解析部５４から次の番組の番組情報を取得し（Ｓ１０１），前記３Ｄ番組の判定方法により，次番組が３Ｄ番組か否かを判定する。」，段落【０２５５】の「・・・ユーザーに対して，３Ｄ番組がもうすぐ始まる旨のメッセージを表示する（Ｓ１０４）。」，並びに，段落【０２５６】〜段落【０２６０】及び図２８〜図３０に示されるユーザーに対して表示されるメッセージ７０２，８０２，９０２の記載に基づくものである。
　したがって，訂正事項３及び訂正事項４は，願書に最初に添付した明細書，特許請求の範囲又は図面に記載した事項の範囲内の訂正であり，特許法第１２６条第５項に適合するものである。
第５　むすび
　以上のとおり，本件審判請求に係る訂正事項１〜４は，特許法第１２６条第１項ただし書第３号にあげる事項を目的とし，かつ，同条第５項及び第６項の規定に適合する。
　よって，結論のとおり審決する。